(57)【要約】【課題】略筒状部材を、ビス、両面テープ及び接着剤等の固定専用部材を用いることなく、容易に外装部材に対してがたつきなく固定することができる仕組みを提供する。【解決手段】電子機器は、係止部１３ｅが設けられた複数の貫通穴１３ｃを有する外装部材１３と、貫通穴１３ｃに挿入された状態で係止部１３ｅに係止される複数の腕部１４ｃが設けられた筒部材１４と、外装部材１３を筒部材１４との間に挟むように外装部材１３に取り付けられ、複数の腕部１４ｃに係合する複数の係合部２４ｇを有する抜け止め部材２４とを備える。複数の腕部１４ｃには、前記挿入方向に対して先端側に向けて筒部材１４の外側に広がるテーパ面１４ｈが設けられ、抜け止め部材２４の係合部２４ｇは、係止部１３ｅに係止された状態の腕部１４ｃのテーパ面１４ｈに係合して腕部１４ｃを前記挿入方向と直交する矢印Ｂ方向に押圧する。【選択図】図１１
2014123040.tif 000002
【特許請求の範囲】
【請求項１】
係止部が設けられた複数の貫通穴を有する外装部材と、
前記貫通穴に挿入された状態で前記係止部に係止される複数の腕部が設けられた筒部材と、
前記外装部材を前記筒部材との間に挟むように前記外装部材に取り付けられ、前記複数の腕部に係合する複数の係合部を有する抜け止め部材とを備え、
複数の腕部には、前記挿入する方向に対して先端側に向けて前記筒部材の外側に広がるテーパ面が設けられ、
前記抜け止め部材の前記係合部は、前記係止部に係止された状態の前記腕部の前記テーパ面に係合して前記腕部を前記挿入する方向と直交する方向に押圧することを特徴とする電子機器。
【請求項２】
前記筒部材は、円筒状に形成されていることを特徴とする請求項１に記載の電子機器。
【請求項３】
前記筒部材の中央の開口部には、レンズ鏡筒の撮影レンズが露出して配置され、
前記抜け止め部材は、前記レンズ鏡筒のバリアユニットを構成する部材であることを特徴とする請求項１又は２に記載の電子機器。
【発明の詳細な説明】
【技術分野】
【０００１】
本発明は、外装部材に取り付けられる略筒状部材を備える例えばデジタルカメラやデジタルビデオカメラ等の電子機器に関する。
【背景技術】
【０００２】
デジタルカメラやデジタルビデオカメラ等の電子機器では、フロントリング等の略筒部材を外装部材にがたつきなく固定する方法として、ビス止めを用いることが多い（特許文献１）。しかし、ビス止めの場合、組み立て作業で小さいビスを締め付けるという慎重な作業が要求されたり、ビス浮きの問題が発生したりする可能性がある。ビス止め以外の方法としては、両面テープや接着剤により略筒状部材を外装部材に固定することが考えられる。
【先行技術文献】
【特許文献】
【０００３】
【特許文献１】特開２０００−２３１１４８号公報
【発明の概要】
【発明が解決しようとする課題】
【０００４】
しかし、両面テープによる略筒状部材の固定では、テープの浮きや剥がれなどの問題が発生する可能性がある。接着剤による略筒状部材の固定では、接着剤のはみ出しの問題がある。更に、略筒状部材を外装部材に組み付けた後に、外装部材から略筒状部材を取り外すことが不可能になることから、略筒状部材の再利用や再組付を行うことが困難になる。
【０００５】
そこで、本発明は、略筒状部材を、ビス、両面テープ及び接着剤等の固定専用部材を用いることなく、容易に外装部材に対してがたつきなく固定することができる仕組みを提供することを目的とする。
【課題を解決するための手段】
【０００６】
上記目的を達成するために、本発明の電子機器は、係止部が設けられた複数の貫通穴を有する外装部材と、前記貫通穴に挿入された状態で前記係止部に係止される複数の腕部が設けられた筒部材と、前記外装部材を前記筒部材との間に挟むように前記外装部材に取り付けられ、前記複数の腕部に係合する複数の係合部を有する抜け止め部材とを備え、複数の腕部には、前記挿入する方向に対して先端側に向けて前記筒部材の外側に広がるテーパ面が設けられ、前記抜け止め部材の前記係合部は、前記係止部に係止された状態の前記腕部の前記テーパ面に係合して前記腕部を前記挿入する方向と直交する方向に押圧することを特徴とする。
【発明の効果】
【０００７】
本発明によれば、略筒状部材を、ビス、両面テープ及び接着剤等の固定専用部材を用いることなく、容易に外装部材に対してがたつきなく固定することができる。
【図面の簡単な説明】
【０００８】
【図１】（ａ）は本発明の電子機器の実施形態の一例であるデジタルビデオカメラを正面側から見た斜視図である。（ｂ）は（ａ）に示すデジタルビデオカメラのバリアユニットを構成する上下のバリア羽根を閉じた状態を示す斜視図である。
【図２】フロントカバーユニットとバリアユニットとの関係を示す斜視図である。
【図３】バリアユニットの斜視図である。
【図４】図３に示すバリアユニットの分解斜視図である。
【図５】フロントカバーを背面側から見た斜視図である。
【図６】フロントリングを背面側から見た斜視図である。
【図７】図６のフロントリングのＣ−Ｃ線断面図である。
【図８】フロントカバーにフロントリングを組み付ける方法を説明するための斜視図である。
【図９】フロントカバーにフロントリングを組み付けた状態を背面側から見た図である。
【図１０】フロントカバーユニットの背面側にバリアユニットを取り付けた状態を示す図である。
【図１１】図１０のフロントカバーユニットのＡ−Ａ線断面図である。
【発明を実施するための形態】
【０００９】
以下、本発明の実施形態の一例を図面を参照して説明する。
【００１０】
図１（ａ）は、本発明の電子機器の実施形態の一例であるデジタルビデオカメラを正面側から見た斜視図である。図１（ｂ）は、図１（ａ）に示すデジタルビデオカメラのバリアユニットを構成する上下のバリア羽根を閉じた状態を示す斜視図である。
【００１１】
図１に示すように、本実施形態のデジタルビデオカメラは、カメラ本体１１の正面側にフロントカバー１３が設けられる。フロントカバー１３は、開口部１３ａを有する。レンズ鏡筒の撮影レンズ１２は、カメラ本体１１の内部に設けられる。そして撮影レンズ１２は、フロントカバー１３の開口部１３ａから露出して配置される。
【００１２】
フロントカバー１３には、非導体の樹脂の表面に金属メッキが施されたフロントリング１４が取り付けられて、フロントカバーユニット１６を構成している。ここで、フロントカバー１３は、本発明の外装部材の一例に相当する。フロントリング１４は、本発明の筒部材の一例に相当する。
【００１３】
フロントカバー１３の開口部１３ａから入射して撮影レンズ１２を通過した被写体光は、カメラ本体１１の内部に設けられた不図示のＣＣＤセンサやＣＭＯＳセンサ等の撮像素子に結像されて光電変換される。また、カメラ本体１１には、フロントカバー１３の開口部１３ａを上下のバリア羽根２１，２２により撮影レンズ１２の前方で開口部１３ａを開閉するバリアユニット２０が設けられている。
【００１４】
バリアユニット２０は、撮影レンズ１２を保護する上下のバリア羽根２１，２２を有する。バリアユニット２０は、撮像時にフロントカバー１３の開口部１３ａを開く（図１（ａ））方向に動作し、非撮像時にフロントカバー１３の開口部１３ａを閉じる（図１（ｂ））方向に動作する。また、バリアユニット２０には、上下方向のスライド操作により上下のバリア羽根２１，２２を開閉方向に動作させる開閉ノブ２３が設けられている。
【００１５】
図２は、フロントカバーユニット１６とバリアユニット２０との関係を示す斜視図である。図３は、バリアユニット２０の斜視図である。図４は、図３に示すバリアユニット２０の分解斜視図である。
【００１６】
図２乃至図４に示すように、バリアユニット２０は、フロントカバー１３をフロントリング１４との間に挟むように配置される。そしてバリアユニット２０は、フロントパネル２４、上バリア羽根２１、下バリア羽根２２、開閉リンク２７、開閉ノブ２３、付勢バネ２６及びリアパネル２５を備える。
【００１７】
フロントパネル２４、及びリアパネル２５には、それぞれ開口部２４ａ、及び開口部２５ａがフロントカバー１３の開口部１３ａに対応して形成される。リアパネル２５には、複数の係合爪２５ｂ〜２５ｅが形成される。フロントパネル２４には、複数の係合凸部２４ｂ〜２４ｅが係合爪２５ｂ〜２５ｅに対応して形成される。また、フロントパネル２４の正面側には、円弧状のリブ２４ｆ，２４ｇが設けられる。ここで、フロントパネル２４は、本発明の抜け止め部材の一例に相当する。円弧状リブ２４ｆ，２４ｇは、本発明の係合部の一例に相当する。
【００１８】
係合爪２５ｂ〜２５ｅが係合凸部２４ｂ〜２４ｅに係合することにより、フロントパネル２４とリアパネル２５とが一体化される。そして、２つパネル２４，２５間に、上下のバリア羽根２１，２２、開閉リンク２７、開閉ノブ２３、及び付勢バネ２６が移動可能に収容される。
【００１９】
図３に示す状態で、開閉ノブ２３を下方にスライド操作すると、開閉リンク２７、及び上下のバリア羽根２１，２２が下方向に移動して、開口部２４ａ，２５ａひいてはフロントカバー１３の開口部１３ａが開いた状態になる。この状態で、開閉ノブ２３を上方にスライド操作すると、開閉リンク２７、及び上下のバリア羽根２１，２２が上方向に移動して、開口部２４ａ，２５ａひいてはフロントカバー１３の開口部１３ａが閉じた状態になる。
【００２０】
図５は、フロントカバー１３を背面側から見た斜視図である。図６は、フロントリング１４を背面側から見た斜視図である。図７は、図６のフロントリング１４のＣ−Ｃ線断面図である。
【００２１】
図５に示すように、フロントカバー１３には、中央部に開口部１３ａが形成される。フロントカバー１３は、開口部１３ａの下部中央部に貫通穴１３ｂを有する。また、フロントカバー１３は、貫通穴１３ｂの左右両側に、それぞれ貫通穴１３ｃ，１３ｄを有する。
【００２２】
貫通穴１３ｃの下側内壁には、係止部１３ｅが突設される。貫通穴１３ｄの下側内壁には、係止部１３ｆが突設される。また、フロントカバー１３の上部には、上部穴１３ｈ、及び背面側に延びるビス止め用の腕部１３ｇが設けられる。
【００２３】
図６に示すように、フロントリング１４は、中央部に円形の開口部１４ａを有する円筒形状とされる。そして、フロントリング１４は、背面側端部の円周方向の下側には、背面側に延びる腕部１４ｂを有する。フロントリング１４は、背面側端部における腕部１４ｂの円周方向の左右両側に、それぞれ背面側に延びる腕部１４ｃ，１４ｄを有する。また、フロントリング１４は、背面側端部における円周方向の上側に、背面側に延びるビス止め用の腕部１４ｅを有する。そしてフロントリング１４は、腕部１４ｅの先端側上面に、一対の係合突起１４ｆを有する。
【００２４】
図７に示すように、フロントリング１４の腕部１４ｃの径方向内側の面には、フロントカバー１３への挿入方向に対して、先端側に向けて次第にフロントリング１４の径方向外側に広がるテーパ面１４ｈが設けられている。また、図示は省略するが、フロントリング１４の腕部１４ｄの径方向内側の面についても、フロントカバー１３への挿入方向に対して先端側に向けて次第にフロントリング１４の径方向外側に広がるテーパ面１４ｈが設けられている。
【００２５】
図８は、フロントカバー１３にフロントリング１４を組み付ける方法を説明するための斜視図である。図９は、フロントカバー１３にフロントリング１４を組み付けた状態を背面側から見た図である。
【００２６】
図８及び図９を参照して、フロントカバー１３にフロントリング１４を組み付ける方法を説明する。まず、フロントリング１４のビス止め用腕部１４ｅをフロントカバー１３の外周側から上部穴１３ｈに挿入したする。その後、係合突起１４ｆをビス止め用腕部１３ｇの先端に係合させる。
【００２７】
次に、フロントリング１４の腕部１４ｂ、及び腕部１４ｃ，１４ｄをそれぞれフロントカバー１３の貫通穴１３ｂ、及び貫通穴１３ｃ，１３ｄに挿入して組み込む。このとき、フロントリング１４の腕部１４ｃ，１４ｄに形成した穴が貫通穴１３ｃ，１３ｄに設けた係止部１３ｅ，１３ｆに係止される。
【００２８】
また、フロントリング１４のビス止め用腕部１４ｅに形成した穴とフロントカバー１３のビス止め用腕部１３ｇに形成した穴に、不図示のビスを挿入して、カメラ本体１１にビス止めする。こうすることで、フロントカバーユニット１６がカメラ本体１１に固定される。
【００２９】
図１０は、フロントカバーユニット１６の背面側にバリアユニット２０を取り付けた状態を示す図である。図１１は、図１０のＡ−Ａ線断面図である。
【００３０】
図１０に示すように、バリアユニット２０は、フロントカバーユニット１６の背面側にビス２７によって固定される。このとき、図１１に示すように、フロントカバー１３の係止部１３ｅに係止されているフロントリング１４の腕部１４ｃのテーパ面１４ｈにフロントパネル２４の円弧状リブ２４ｇが径方向に対向配置されて、腕部１４ｃを径方向外側（矢印Ｂ方向）に押圧する。ここで、矢印Ｂ方向は、フロントリング１４の挿入方向に対して直交する方向となる。
【００３１】
また、図示は省略するが、フロントカバー１３の係止部１３ｆに係止されているフロントリング１４の腕部１４ｄのテーパ面１４ｈには、フロントパネル２４の円弧状リブ２４ｆが径方向に対向配置される。そして、フロントパネル２４の円弧状リブ２４ｆは、腕部１４ｄを径方向外側に押圧する。これにより、フロントカバー１３に対してフロントリング１４をがたつきなく固定することができる。
【００３２】
以上説明したように、本実施形態では、フロントリング１４をビス、両面テープあるいは接着剤等の固定専用部材を用いることなく、容易にがたつきなくフロントカバー１３に固定することができる。また、フロントカバーユニット１６からバリアユニット２０を取り外すことで、円弧状リブ２４ｇ，２４ｆによる腕部１４ｃ，１４ｄの径方向外側への押圧が解除される。これにより、フロントカバー１３からフロントリング１４を容易に取り外すことができ、フロントリング１４の再利用や再組付が可能となる。
【００３３】
なお、本発明の構成は、上記実施形態に例示したものに限定されるものではなく、材質、形状、寸法、形態、数、配置箇所等は、本発明の要旨を逸脱しない範囲において適宜変更可能である。
【００３４】
例えば、上記実施形態では、略筒状部材として、円筒状のフロントリング１４を例示したが、円筒状の部材に限定されず、例えば円弧筒状や角筒状等であってもよく、更には、中央部の開口部の形状と外形形状とが異なるものであってもよい。
【符号の説明】
【００３５】
１１  カメラ本体
１３  フロントカバー
１３ａ  開口部
１３ｃ，１３ｄ  貫通穴
１３ｅ，１３ｆ  係止部
１４  フロントリング
１４ａ  開口部
１４ｃ，１４ｄ  腕部
１４ｆ  テーパ面
２４  フロントパネル
２４ｆ，２４ｇ  円弧状リブ
【図１】
2014123040.tif 000003
【図２】
2014123040.tif 000004
【図３】
2014123040.tif 000005
【図４】
2014123040.tif 000006
【図５】
2014123040.tif 000007
【図６】
2014123040.tif 000008
【図７】
2014123040.tif 000009
【図８】
2014123040.tif 000010
【図９】
2014123040.tif 000011
【図１０】
2014123040.tif 000012
【図１１】
2014123040.tif 000013